(57)【要約】【課題】  児童生徒の登下校時の安全や、その他の外出時における安全を図り、緊急事態が発生した場合に近くの安全な場所・施設へ避難できるように、行動範囲の地図と関連付けて自然に覚えさせることの出来る下敷きを提供せんとする。【解決手段】  一つの面に地図２が表示してあり、その地図には道路、主要な建物、公園、川、道路等の名称３が表されていると共に、子供の緊急避難施設４の表示と、その標記５、及びその施設名称９を表示して成ることを特徴とする。【選択図】  図１
2007307887.tif 000002
【特許請求の範囲】
【請求項１】
下敷き基材の一面に地図表示部を構成する印刷層が形成され、この地図表示部は道路、主要な建物、公園、川等とその名称の表示、子供の緊急避難施設とその標記の表示より成ることを特徴とする下敷き。
【請求項２】
子供の緊急避難施設の表示は、施設の外観絵図で表示して成ることを特徴とする請求項１記載の下敷き。
【請求項３】
子供の緊急避難施設の標記は、「こども１１０番」や「こどもかけこみでら」の表示と共に、連続番号を付加して成ることを特徴とする請求項１又は２記載の下敷き。
【請求項４】
地図表示部とは別に、印刷層に子供の緊急避難施設の名称及び対応する連続番号を表示した一覧表示部を設けて成ることを特徴とする請求項３記載の下敷き。
【請求項５】
連続番号は公共施設、店舗、一般住宅等の施設の種類によって色分け表示して成ることを特徴とする請求項３又は４記載の下敷き。
【請求項６】
地勢上や社会環境上の危険な場所表示を地図表示部に構成して成ることを特徴とする請求項１乃至５のいずれかに記載の下敷き。
【請求項７】
地図表示部に表示された地域は公立の小学校又は中学校の通学校下であることを特徴とする請求項１乃至５のいずれかに記載の下敷き。
【発明の詳細な説明】
【技術分野】
【０００１】
本発明は学習用の下敷きに関するものであり、詳しくは児童生徒の安全に資する下敷きに関するものである。
【背景技術】
【０００２】
下敷きは勉学において使用頻度が高く、特に小中学校の児童生徒には必須の学習用具としての認識が高いものである。
そこで、下敷きの表裏の平板面を利用して各種の模様、図画や学習に役に立つ表示を施しているものもある。
【０００３】
例えば、実用新案登録第３０６３１００号では、下敷きの表面側に建築物の地図記号がその名称及び写真と対応させて表示し、その下側に、他の建築物を示す複数の地図記号がその名称と共に表示され、更にその下側には土地の種類を示す地図記号がその名称及び写真と対応させて表示し、その下側に、他の地図記号がその名称と共に表示されている。
そして、下敷きの裏面側には地形図に市街地、主な建築物、土地の種類などの地図記号が表示された地図が表示され、その下側には、過去に使われていた地図記号から現在の地図記号までの変遷の例を表示したコラム等が設けられている。
【特許文献１】実用新案登録第３０６３１００号公報
【発明の開示】
【発明が解決しようとする課題】
【０００４】
上記のような従来の下敷きは、例えば地図の学習用の教材として用いようというものである。
即ち、学習に必須であること、使用頻度の多いことを利用して、地図の見方や地図記号を自然と記憶させて行こうとしているのである。
【０００５】
そこで、本発明は、学習と直接関係せず、児童生徒の登下校時の安全や、その他の外出時における安全を図り、緊急事態が発生した場合に近くの安全な場所・施設へ避難できるように、行動範囲の地図と関連付けて自然と覚えさせることの出来る下敷きを提供せんとするものである。
【課題を解決するための手段】
【０００６】
本発明の下敷きは、下敷き基材の一面に地図表示部を構成する印刷層が形成され、この地図表示部は道路、主要な建物、公園、川等とその名称の表示、子供の緊急避難施設とその標記の表示より成ることを特徴とするものである。
【０００７】
請求項２の下敷きは、子供の緊急避難施設の表示は、施設の外観絵図で表示して成ることを特徴とするものである。
【０００８】
請求項３の下敷きは、子供の緊急避難施設の標記は、「こども１１０番」や「こどもかけこみでら」の表示と共に、連続番号を付加して成ることを特徴とするものである。
【０００９】
請求項４の下敷きは、地図表示部とは別に、印刷層に子供の緊急避難施設の名称及び対応する連続番号を表示した一覧表示部を設けて成ることを特徴とするものである。
【００１０】
請求項５の下敷きは、連続番号は公共施設、店舗、一般住宅等の施設の種類によって色分け表示して成ることを特徴とするものである。
【００１１】
請求項６の下敷きは、地勢上や社会環境上の危険な場所を表示して成ることを特徴とするものである。
【００１２】
請求項７の下敷きは、地図表示部に表示された地域は公立の小学校又は中学校の通学校下であることを特徴とするものである。
【発明の効果】
【００１３】
本発明は、下敷き基材の一面に地図表示部を構成する印刷層が形成され、一般の地図に標記される道路、主要な建物、公園、川、道路等の名称に加えて、子供の緊急避難施設とその標記を表示したものである。
そのため、頻繁に使用する下敷きの地図を自然と観ることになって、緊急時に逃げ込める避難場所を記憶する結果となる効果を有する。
【００１４】
請求項２の発明は、子供の緊急避難施設の表示は、施設の外観絵図で表示してあるため、視覚的に緊急避難施設を認識できる効果があり、低年齢の児童にも記憶し易い効果を発揮するのである。
【００１５】
請求項３の発明は、子供の緊急避難施設の標記は、「こども１１０番」や「こどもかけこみでら」の標記と共に、連続番号を付加して成るから、字の読める児童や読めない児童でも番号で場所を知得できる効果を有する。
【００１６】
請求項４の発明は、子供の緊急避難施設の名称は、地図外に連続番号に対応して連続番号と共に一覧表示部が表示してあるから、子供の緊急避難施設の場所と名称を確認し記憶することができる効果を有する。
【００１７】
請求項５の発明は、連続番号は公共施設、店舗、一般住宅等の施設の種類によって色分け表示して成るから、その人にとって逃げ込みやすいと思う緊急避難施設を選択的に覚えるのに役立つ効果を有する。
【００１８】
請求項６の発明は、地勢上や社会環境上の危険な場所を表示して成るため、普段の生活及び社会環境にも注意を喚起する効果を有し、請求項７の考案は、表示された地域は公立の小学校又は中学校の通学校下とすることで、日常の密接な行動範囲内での危険回避を期待できるものとなる。
【発明を実施するための最良の形態】
【００１９】
次に、本発明の実施の一形態を図面に基づいて説明する。
図１は、本発明の実施の一形態を示す下敷きの表面図である。
下敷きの基材１はプラスチック、厚紙等の公知の素材を用いて、適宜形状及び大きさに形成することができ、後述の地図や地図上の各種表示・標記は公知の印刷手段によって表示すればよく、印刷表面にシール等して滑らかにしたり、印刷面を保護する処理も適宜に行ってもよい。
そして、後述の地図表示部等の表示は、表裏のいずれかの面、又は両面共に、或いは目的の地域範囲を二つに分割・分離して夫々に表しても良い。
【００２０】
下敷きの基材１には、地図表示部２を構成する印刷層が形成され、基材１の周端部の近傍を除いて特定地域である例えば公立小学校の校下（通学地域）の地域が印刷してある。
地図表示部２には、一般の地図に表示される道路、主要な建物、公園、川、道路等の名称３が記載してあり、加えて子供が危険に晒された時に緊急に避難できる施設（建物）４の地図上の場所が表示されている。
【００２１】
この緊急避難施設４は、予め行政機関や教育機関と約定した民間の施設も含まれ、一般には「こども１１０番」や「こどもかけこみでら」などと称され、これらの標記５と連続番号６を付し、その建物の外観絵図７を表示して成る。
【００２２】
また、地図表示部２の表示部外に、緊急避難施設４の連続番号６とその番号に対応する施設の名称９である公共機関名、店舗名や私邸名などの一覧表示部８が印刷してある。
一覧表示部８は、地図上の市街地でない部分や、山・林・田・畑などの、子供が踏み入らない場所で危険地帯とならない場所の部分に表示しても良い。
そして、連続番号６は公共施設、店舗や私邸別に色分けで標記し、地図上の連続番号６も同色に色分けして標記してある。
【００２３】
その他、通学路の表示１１や、地すべりの発生が懸念される箇所や急傾斜で危険な場所や、或いは不審者が出没した場所などの地勢上・社会環境上の危険な場所１０、更に、災害時の指定避難場所１２も表示し、児童生徒の安全に関する情報を出来るだけ分かり易く、興味を惹くような表示を工夫して採用している。
【図面の簡単な説明】
【００２４】
【図１】本発明の実施の一形態を示す下敷きの表面図である。
【符号の説明】
【００２５】
１  下敷きの基材
２  地図表示部
３  名称
４  緊急避難施設
５  緊急避難施設の標記
６  連続番号
７  外観絵図
８  一覧表示部
９  緊急避難施設の名称
１０  地勢上・社会環境上危険な場所
【図１】
2007307887.tif 000003